(57)【要約】  口腔ケアパッケージが、第１の窓（３０）を有し口腔用組成物（５）を収容するための主パッケージ（２０）と、第２の窓（５０）を有し主パッケージを少なくとも部分的に包囲する副パッケージ（４０）とを有し、第１及び第２の窓は、主パッケージ内に収容された口腔用組成物が第１及び第２の窓を介して目に見えるように、対応する第１及び第２のパッケージ上に配置されている。口腔用組成物を表示する方法が、口腔用組成物を保持するための主パッケージを形成する工程と、主パッケージ内に第１の窓を形成する工程と、副パッケージを形成する工程と、副パッケージ内に第２の窓を形成する工程と、主パッケージの貯蔵部内に口腔用組成物を置く工程と、口腔用組成物が第１及び第２の窓を介して目に見えるように、副パッケージの少なくとも部分的に内側に主パッケージを配置する工程とを含む。
2010522673.tif 000002
【特許請求の範囲】
【請求項１】
第１の窓を有し、口腔用組成物を収容するための主パッケージと、
第２の窓を有し、前記主パッケージを少なくとも部分的に包囲する副パッケージと、
を備える口腔ケアパッケージであって、
前記主パッケージ内に収容された前記口腔用組成物が前記第１及び第２の窓を介して目に見えるように、前記第１及び第２の窓が、前記第１及び第２のパッケージのそれぞれに配置されているパッケージ。
【請求項２】
前記第１及び第２の窓の各々がそれぞれ、１．０ｃｍ２を超える合計面積を有する、請求項１に記載のパッケージ。
【請求項３】
前記副パッケージが前記主パッケージを完全に包囲する、請求項１に記載のパッケージ。
【請求項４】
前記第１の窓が前記主パッケージの実質的に全体を包含する、請求項１に記載のパッケージ。
【請求項５】
前記主パッケージの少なくとも一部分が、概ね透明な材料から形成されて前記第１の窓を形成している、請求項１に記載のパッケージ。
【請求項６】
前記第２の窓が前記副パッケージの実質的に全体を包含する、請求項１に記載のパッケージ。
【請求項７】
前記副パッケージの少なくとも一部分が、概ね透明な材料から形成されて前記第２の窓を形成している、請求項１に記載のパッケージ。
【請求項８】
口腔用組成物用のディスペンサであって、少なくとも一部分が概ね透明であるディスペンサと、
前記ディスペンサを少なくとも部分的に包囲する副パッケージであって、少なくとも一部分が概ね透明である副パッケージと、
を備える口腔ケアパッケージ組立体であって、
前記ディスペンサ内に収容された前記口腔用組成物が、前記ディスペンサ及び前記副パッケージの前記概ね透明な部分のそれぞれを介して目に見えるように、前記ディスペンサ及び前記副パッケージの前記概ね透明な部分のそれぞれが、少なくとも部分的に整列されている、パッケージ組立体。
【請求項９】
前記副パッケージが、半剛性であるハウジングを備える、請求項８に記載のパッケージ組立体。
【請求項１０】
口腔用組成物を表示する方法であって、
口腔用組成物を保持するための主パッケージを形成する工程と、
前記主パッケージ内に第１の窓を形成する工程と、
副パッケージを形成する工程と、
前記副パッケージ内に第２の窓を形成する工程と、
前記主パッケージの貯蔵部内に口腔用組成物を置く工程と、
前記口腔用組成物が前記第１及び第２の窓を介して目に見えるように、前記副パッケージの少なくとも部分的に内側に前記主パッケージを配置する工程と、を含む方法。
【発明の詳細な説明】
【技術分野】
【０００１】
本発明は、製品パッケージングに関する。より具体的には、口腔用組成物を保持し表示するための口腔ケアパッケージ組立体である。
【背景技術】
【０００２】
多種多様な市販の製品パッケージングが存在する。多くの場合、これらのパッケージは、特定の機能的要件を満たすように設計される。例えば、パッケージは、一定の寸法の制約、一定の貯蔵寿命、又は特定の製品保護基準を満たすように設計され得る。
【０００３】
場合によっては、これらのパッケージは、パッケージの外側を使用して消費者に通知するように設計される。一例として、パッケージの外側は、製品成分などの製品情報を消費者に提供するために印刷されてもよい。更に、パッケージの外表面は、パッケージ内に収容された製品を市販するのを支援するために、アートワーク、商標、及び他の情報を含んでもよい。
【発明の概要】
【発明が解決しようとする課題】
【０００４】
しかし、機能的要件とマーケティング及び情報伝達の要件との双方の釣り合いを改善する新たなパッケージが、依然として絶えず求められている。
【課題を解決するための手段】
【０００５】
本発明は、口腔用組成物を保持し表示するための口腔ケアパッケージ組立体に関する。
【０００６】
本発明のある例示的な実施形態は、収容し第１の窓を有し、口腔用組成物を収容するための主パッケージと、第２の窓を有し、主パッケージを少なくとも部分的に包囲する副パッケージとを有する口腔ケアパッケージであって、主パッケージ内に収容された口腔用組成物が第１及び第２の窓を介して目に見えるように、第１及び第２の窓が、対応する第１及び第２のパッケージ上に配置されているパッケージである。
【０００７】
本発明の別の実施形態は、口腔用組成物用のディスペンサであって、少なくとも一部分が概ね透明であるディスペンサと、ディスペンサを少なくとも部分的に包囲する副パッケージであって、少なくとも一部分が概ね透明である副パッケージとを包含する口腔ケアパッケージ組立体である。ディスペンサ及び副パッケージの概ね透明な部分のそれぞれは、ディスペンサ内に収容された口腔用組成物が、ディスペンサ及び副パッケージの概ね透明な部分のそれぞれを介して目に見えるように、少なくとも部分的に整列されている。
【０００８】
本発明の例示的な方法は、口腔用組成物を表示する方法であって、口腔用組成物を保持するための主パッケージを形成する工程と、主パッケージ内に第１の窓を形成する工程と、収縮包装でない副パッケージを形成する工程と、副パッケージ内に第２の窓を形成する工程と、主パッケージの貯蔵部内に口腔用組成物を置く工程と、口腔用組成物が第１及び第２の窓を介して目に見えるように、副パッケージの少なくとも部分的に内部に主パッケージを配置する工程とを包含する方法である。
【０００９】
各実施形態が本明細書において更に詳細に記載されており、本発明のこれらの及び他の特徴、態様、及び利点は、本開示を通読することにより、当業者には明白となろう。
【図面の簡単な説明】
【００１０】
本明細書は、本発明を具体的に示しかつ明確に主張する特許請求の範囲で結論するが、本発明は、添付の図面と関連してなされた以下の説明から、より十分に理解されると考えられる。
【図１】本発明の実施形態による例示的なパッケージ組立体の側立面図。
【図２】図１に従う例示的な主パッケージの側立面図。
【図３】図１に従う例示的な副パッケージの側立面図。
【図４】本発明の実施形態に従う例示的な副パッケージの側立面図。
【図５】本発明の実施形態に従う例示的なパッケージ組立体の側立面図。
【図６】本発明の実施形態に従う例示的なパッケージ組立体の側立面図。
【図７】本発明の実施形態に従う例示的なパッケージ組立体の側立面図。
【図８】本発明の実施形態に従う例示的なパッケージ組立体の側立面図。
【図９】本発明の実施形態に従う例示的なパッケージ組立体の側立面図。
【００１１】
図面に示した実施形態は、例示的な性格のものであり、特許請求の範囲によって定義される本発明を限定することを意図したものではない。更に、本発明及び図面の個々の特徴は、詳細な説明を鑑みると、より十分に明らかとなり、また理解される。
【発明を実施するための形態】
【００１２】
本明細書は、本発明を具体的に示しかつ明確に主張する特許請求の範囲をもって結論とするが、本発明は以下の説明によってより深く理解されると考えられる。
【００１３】
Ａ．定義
本明細書で用いられる「口腔用組成物」という用語は、通常の使用過程において、特定の治療薬の全身投与の目的で意図的に飲み込まれるのではなく、むしろ、経口作用の目的で歯の表面及び／又は口腔組織のほぼすべてに接触するのに十分な時間にわたって口腔内に残留する製品を意味する。本発明の口腔用組成物は、練り歯磨き、歯磨き剤、歯ジェル、歯肉ジェル、フォーム、マウス、又は義歯製品を含めた様々な形態であってよい。口腔用組成物はまた、口腔表面への直接的な施用又は付着のためのストリップ又はフィルム上に組み込まれてもよい。
【００１４】
本明細書で用いられる「歯磨き剤」という用語は、特に明記しない限り、口腔の表面を手入れし、口腔の表面を保護し、かつ／又は口腔の表面に浸透させるために使用されるペースト、ジェル、粉末、リンス剤、又は液状製剤を意味する。
【００１５】
本明細書で用いられる「ポリマー」という用語は、１種類のモノマーの重合によって作られた材料又は２つ（すなわちコポリマー）以上の種類のモノマーによって作られた材料を、いずれかを問わずに含むものとする。
【００１６】
本明細書で用いられる「視覚的に別個」という用語は、視力によって明確に知覚される相違を意味する。
【００１７】
本明細書で用いられる「容器」という用語は、口腔用組成物などの材料が保持されるか又は担持される入れ物を意味する。
【００１８】
本明細書で用いられる「不透明な」という用語は、透明でないか、概ね透明であるか、又は半透明であり、光を通過させないことを意味する。
【００１９】
本明細書で用いられる「透明な」という用語は、介在する物質が存在しないがごとく物体又は像が見えるように光を透過させることが可能であることを意味する。
【００２０】
本明細書で用いられる「半透明な」という用語は、物体又は像が見えるが鮮明性を伴わないように、光が通過するときにその光が拡散されることを意味する。
【００２１】
本明細書で用いられる「概ね透明な容器」という用語は、容器の内容物の外観を目で見ることができるように、容器の少なくとも一部を透かして見ることが可能であることを意味する。この用語は、透明な容器及び半透明な容器を包含し、透明な容器内の内容物は、半透明な容器内の内容物と比べて、より明瞭に目で見ることができる。本発明においては、可視光線範囲内のある波長が、２５％を超える透過率を有する限り、概ね透明であると見なされる。
【００２２】
本明細書で用いられる「副パッケージ」という用語は、主パッケージを少なくとも部分的に包囲するか又は封入することが可能な任意のパッケージ、容器、及び／又はディスペンサを意味するが、収縮包装フィルムなどの軟質フィルムは包含しない。
【００２３】
本明細書で用いられる「パターン」という用語は、限定するものではないが、幾何学的図形、つる巻形、渦巻形、格子形、螺旋形、碁盤目状、星形、葉形、稲妻形、ブロック形、及びそれらの組み合わせを含めた、必ずしも反復的又は模倣的ではないが装飾的又は特徴的なデザインを意味する。
【００２４】
本明細書で用いられる「分配」又は「分配する」という用語は、投与するか又は除去することを意味する。
【００２５】
本明細書で用いられる「ディスペンサ」という用語は、製品を分配するのに好適な任意のポンプ、チューブ、パッケージ、又は容器を意味する。
【００２６】
本明細書で用いられる「長手方向の軸線」という用語は、本体の最も長い軸線を意味する。
【００２７】
本明細書で用いられる「向いた」という用語は、整列された又は配置されたことを意味する。
【００２８】
本明細書で用いられる「平行な」という用語は、同じ方向に延びかつ共通の垂線を有することを意味する。
【００２９】
本明細書で用いられる「隣接する」という用語は、近接すること又は隣り合うことを意味する。
【００３０】
本明細書で用いられる「着色された」という用語は、色を有することを意味する。
【００３１】
本明細書で用いられる「薄い色合いを付けられた」という用語は、白色を加えて彩度を減じることによって作られた色彩のぼかしを意味する。
【００３２】
本明細書で用いられる「陰影を付けられた」という用語は、黒色の量によって又は照度の不足によって決まる色彩の暗さの程度を意味する。
【００３３】
本明細書で用いられる「艶消しされた」という用語は、表面に加えられた装飾又はコーティングを意味する。
【００３４】
本明細書で用いられる「非平坦化された」という用語は、表面粗さを有することを意味する。
【００３５】
本明細書で用いられる「重なる」という用語は、ある領域の一部を覆うこと、又はある領域を共有することを意味する。
【００３６】
本明細書で用いられる「円筒状の」という用語は、一貫した横断面積及び等しい寸法の２つの円形端部を有するチューブである円筒の形状を有することを意味する。
【００３７】
本明細書で用いられる「非円筒状」という用語は、つまり、一貫した横断面積及び等しい寸法の２つの円形端部を有するチューブではないあらゆる形状を意味する。
【００３８】
Ｂ．例示的な実施形態
図１〜３を参照すると、本発明のパッケージ組立体の例示的な実施形態が、全体的に１０として示されている。パッケージ組立体１０は、例えば口腔用組成物５などの製品を保持するための主パッケージ２０と、主パッケージ２０を少なくとも部分的に包囲する副パッケージ４０を包含してもよい。この例示的な実施形態に示すように、主パッケージ２０は、副パッケージ４０内に完全に封入されているか又は包囲されている。
【００３９】
主パッケージ２０は、いかなる形状、寸法、又は構成のものであってもよく、また、当業者に知られているように口腔用組成物５を収容し、保存し、パッケージングし、及び／又は分配する機能を有することができる、口腔用組成物５などの製品を保持するのに好適ないかなるパッケージ、容器、及び／又はディスペンサを包含してもよい。主パッケージ２０の例には、チューブ（例えば、柔軟チューブ、起立チューブ）、ボトル、トトル（tottles）、熱成形用材料（thermoforms）、ポーチ、サッシェ（sachets）、起立容器、ポンプディスペンサ、ジャー、又は当業者に知られている他の任意のパッケージが挙げられるが、これらに限定はされるものではない。主パッケージ２０は、本明細書で上に定義したような円筒状又は非円筒状の形状など、いかなる形状であってもよい。加えて、主パッケージは、製品で充填される前は円筒状などの形状を有することができ、次いで、充填されかつ／又は密封されると、非円筒状などの第２の形状を有することができる。例示的な寸法の主パッケージ２０は、一回分の服用量から最大で３９６．９グラム（１４オンス）の製品貯蔵能力までを包含してもよい。
【００４０】
図２は、非円柱状のチューブディスペンサ（例えば、練り歯磨きチューブ）を構成する主パッケージ２０を示し、この非円柱状のチューブディスペンサは、密閉端部２１と、その密封端部２１の反対側でハウジング２６に連結されたショルダー２４と、ショルダー２４及びハウジング２６によってそれらの中に画定された貯蔵部（図示せず）とを有するハウジング２６と、ハウジング２６の反対側でショルダー２４に連結され貯蔵部２２と流体連通するノズル（図示せず）と、ノズルにねじ付けされたキャップ２８とを包含する。上述のように、２つの等しい寸法の円形を両端部に有していないあらゆる容器形状が非円筒状であることが理解される。例示的な非円筒形状は、従来の柔軟チューブにおいて見られるようなものであってもよく、密封端部２１は、ショルダー２４とは異なる形状及び寸法を有している。口腔用組成物５を主パッケージ２０から分配する例示的な方法には、例えば、当業者に知られているように、ハウジング２６を圧搾すること、ポンプ機構（図示せず）を操作すること、又は重力を利用することが挙げられる。
【００４１】
ショルダー２４、ノズル、キャップ２８は、限定するものではないが、ポリプロピレン（ＰＰ）、ポリエチレン（ＰＥ）、ポリカーボネート（ＰＣ）、ポリアミド（ＰＡ）、ポリエチレンテレフタレート（ＰＥＴＥ）、ポリ塩化ビニル（ＰＶＣ）、汎用ポリスチレン（ＧＰＰＳ）、ポリスチレン（ＰＳ）、及びそれらのコポリマーを含めて、ポリマー、金属、複合材、及びそれらの組み合わせなどの多様な通常の材料から、また、射出成形、ブロー成形、圧縮成形などの任意の従来の方法を用いて製作されてもよい。この例示的な実施形態において、ショルダー、ノズル、及びキャップは、半硬質から硬質の材料で製作されている。ハウジング２６は、限定するものではないが、箔、ポリマー、プラスチック、複合材、及びそれらの組み合わせを含めた、当業者に知られているような単層の積層体、基材、及び／若しくは材料、又は多層の積層体、基材、若しくは材料を包含してもよい。この図示の例示的な実施形態において、ハウジング２６は、柔軟壁チューブを形成する柔軟な積層体である。例示的な箔層には、限定するものではないが、アルミニウム、スズ、及び他の通常の金属を挙げることができる。例示的なポリマーには、ポリプロピレン（ＰＰ）、ポリエチレン（ＰＥ）、ポリカーボネート（ＰＣ）、ポリアミド（ＰＡ）、ポリエチレンテレフタレート（ＰＥＴＥ）、ポリ塩化ビニル（ＰＶＣ）、汎用ポリスチレン（ＧＰＰＳ）、ポリスチレン（ＰＳ）、ＥＶＯＨ、ナイロン、及びそれらのコポリマーを挙げることができる。あるいは、ショルダー２４、ノズル、及びハウジング２６は、単層又は多層の容器としての１つ又は複数の材料から単一の一体型ユニットとして製作されてもよい。
【００４２】
ある例示的な実施形態において、本発明は、エッセルプロパック社（Essel Propack）による３２２４プラスチック積層体などの市販の柔軟な非円筒状チューブディスペンサを、窓３０を含めて主パッケージ２０を形成するように改良する。口腔用組成物５が、主パッケージ２０の外側から概ね透明な部分（すなわち窓３０）を通して目に見えるように、窓３０は、ハウジング２６及び／又はショルダー２４の概ね透明な少なくとも一部分から形成されてもよい。ハウジング２６及び窓３０は、窓３０が少なくとも概ね透明となる限り、２つ以上の全く異なる材料又は同じ材料から製作されてよい。
【００４３】
概ね透明な部分、すなわち窓３０を作ることができる例示的な材料には、限定するものではないが、ポリプロピレン（ＰＰ）、ポリエチレン（ＰＥ）、ポリカーボネート（ＰＣ）、ポリアミド（ＰＡ）、ポリエチレンテレフタレート（ＰＥＴＥ）、ポリ塩化ビニル（ＰＶＣ）、汎用ポリスチレン（ＧＰＰＳ）、及びポリスチレン（ＰＳ）を挙げることができる。容器の概ね透明な部分は、スペクトルの可視部（約４１０ｎｍ〜８００ｎｍ）において２５％、３０％、４０％、５０％、６０％を超えるか更には７０％を超える透過率を有してもよい。本発明においては、可視光線範囲内のある波長が、２５％を超える透過率を有する限り、概ね透明であると見なされる。ハウジング２６の残部を包含する材料が、着色されるか、薄い色合いを付けられるか、艶消しされるか、陰影を付けられるか、又はパターンを形成されて、ハウジング２６が不透明になるか又は概ね透明でなくなる場合を除き、窓３０を製作するために使用される概ね透明な材料はまた、ハウジングの残部（窓３０を含まず）を製作するために使用されてもよい。窓３０を包含する材料はまた、口腔用組成物５が主パッケージ２０の外側から窓３０を介して目に見えるように窓３０が依然として概ね透明である限り、着色されても、薄い色合いを付けられても、艶消しされても、陰影を付けられても、パターンを形成されてもよい。しかしながら、本明細書で以下に記載するように、窓３０はまた、ハウジング２６及び／又はショルダー２４の全体又は実質的に全体を包含してもよく、したがって、ハウジング２６及び／又はショルダー２４の全体又は実質的に全体は、窓３０（図５及び６に示し、本明細書で以下に説明する）を形成するように、概ね透明な材料から製作されてもよい。
【００４４】
図１に示すように、ハウジング２６は、窓３０を除いて、不透明な又は概ね透明でない材料を包含してもよい。したがって、可視光線範囲内の１つの波長は、ハウジング２６を通して２５％を超える透過率を有することがない。ハウジング２６を製作するために使用できる例示的な概ね透明でない材料には、限定するものではないが、箔、不透明なポリマー、他の不透明な材料、及びそれらの任意の組み合わせが挙げられる。例示的な不透明なポリマーには、ポリプロピレン（ＰＰ）、ポリエチレン（ＰＥ）、ポリカーボネート（ＰＣ）、ポリアミド（ＰＡ）、ポリエチレンテレフタレート（ＰＥＴＥ）、ポリ塩化ビニル（ＰＶＣ）、汎用ポリスチレン（ＧＰＰＳ）、ポリスチレン（ＰＳ）、及びそれらのコポリマーなどのポリマーを包含してもよく、ＴＩＯ２などの着色剤又は不透明剤がポリマーに添加されている。更に別の例示的な実施形態において、第１の概ね透明な材料から製作された窓３０と第２の概ね透明な材料から製作されたハウジング２６とを有する単一の成形主パッケージ２０を形成するために、ツーショット射出成形プロセスが利用されてもよい。
【００４５】
ある例示的な実施形態において、主パッケージ２０は、完全に透明なプラスチックチューブで始まる工程と、次いで、透明なチューブの一部分又は大部分の上に、窓３０を形成するか又は構成することが望まれるチューブの部分を除いて、不透明に印刷する工程とを包含する。窓３０を構成することが望まれるこの部分は、不透明に印刷されないが、透明なプラスチック窓として残される。したがって、主パッケージ２０内に収容された製品は、パッケージの残部が印刷により不透明となるため、窓３０を介してのみ目に見える。
【００４６】
あるいは、窓３０は、ハウジング２６内に配された実際の開口部と、その開口部を封鎖するために、接着剤、ヒートシールなどの従来の方法を利用してハウジング２６に連結された、柔軟性フィルムなどの第２の概ね透明な材料とを包含してもよい。ハウジングは、ハウジングを貫く開口部を作製するために、切断されるか又は成形されてもよい。このように、窓３０により、主パッケージ２０内に収容された口腔用組成物５は、主パッケージ２０の外側から目に見えるようになる。
【００４７】
図２において、窓３０は、概ね楕円形状を有するものとして示されている。しかしながら、窓３０は、当業者に知られているように、限定するものではないが、任意の幾何学的形状、非幾何学的形状、パターン、スリットなどを含めて、多様な形状、寸法、及び構成を包含していてもよいことが理解される。例えば、図４及び５は、本発明の他の例示的な実施形態を示しており、ここで窓３０は長方形形状を包含している。図７は、別の例示的な実施形態を示しており、ここで、窓３０は、ハウジング２６に沿って、ハウジング２６内に、かつ／又はハウジング２６を介して配された１つのスリット又は複数のスリットを包含していてもよい。また、主パッケージは、図６及び７に示すような複数の窓３０又はそれらの任意の組み合わせを有していてもよいことが理解される。
【００４８】
図３を参照すると、口腔用組成物のパッケージ組立体１０がまた、主パッケージ２０を部分的に又は完全に包囲するか又は封入することができる副パッケージ４０を有している。副パッケージ４０は、貯蔵部４２を包囲し画定するハウジング４６を有している。図１を参照すると、貯蔵部４２は、主パッケージ２０を保持及び／又は収容することが可能である。この例示的な実施形態において、副パッケージ４０は、ハウジング４６を画定する長方形形状のカートンを包含してもよく、このカートンは、当業者に知られているように、上部壁４１と、下部壁４３と、４つの側壁４５ａ〜４５ｄとを有している。側壁４５ａは図示されていないが、側壁４５ｃの反対側にある平行壁である。副パッケージ４０は、窓５０を有していてもよい。窓５０は、これらの壁のうちの１つ又は複数の少なくとも一部分を包含していてもよい。図１及び３に示すように、例示的な実施形態の窓５０は、側壁４５ｃの表面積全体を占める。このように、側壁４５ｃは概ね透明であり、したがって概ね透明な材料から製作される。概ね透明な例示的な材料には、ポリプロピレン（ＰＰ）、ポリエチレン（ＰＥ）、ポリカーボネート（ＰＣ）、ポリアミド（ＰＡ）、ポリエチレンテレフタレート（ＰＥＴＥ）、ポリ塩化ビニル（ＰＶＣ）、汎用ポリスチレン（ＧＰＰＳ）、ポリスチレン（ＰＳ）、及びそれらの任意の組み合わせが挙げられる。壁４１、４３、及び４５ａ〜４５ｄは、収縮包装などの柔軟性フィルムを包含しない。この例示的な実施形態において、出荷、保管、及び取い扱いの間、副パッケージ４０内に保持された主パッケージ２０を保護するために、壁４１、４３、及び４５ａ〜４５ｄのうちの１つ以上が半硬質であってもよい。
【００４９】
例示的な副パッケージ４０は、ミード・ウェストベーコ社（Mead WestVaco）から入手可能なプラスチックカートンとして市販されているものであってもよく、ここで、副パッケージ４０は、すべて概ね透明な半硬質のプラスチック壁４１、４３、及び４５ａ〜４５ｄを包含している。そのような例示的な実施形態において、窓５０は、副パッケージ４０のハウジング４６の全体又は大部分を包含している。この例示的な実施形態において、出荷、保管、及び取扱いの間、副パッケージ４０内に保持された主パッケージ２０を保護する目的で、壁は半硬質であり、したがって収縮包装などの柔軟性フィルムを有している。ある例示的な実施形態において、副パッケージ４０は、半硬質パッケージ又は非柔軟性フィルムパッケージを包含し、壁４１、４３、４５ａ〜４５ｄは、約７６．２マイクロメートル（３ミル）を超える厚さを有する。半硬質パッケージ又は非軟質フィルムパッケージの別の例示的な実施形態において、半硬質壁４１、４３、及び４５ａ〜４５ｄは、約１０１．６マイクロメートル（４ミル）から約４５７．２マイクロメートル（１８ミル）の厚さを有し、パッケージ４０に半硬質性をもたらす。
【００５０】
窓３０及び５０は、少なくとも部分的に主パッケージ２０内に保持された口腔用組成物５が副パッケージ４０の外側から窓３０及び５０を介して目に見えるように、それぞれ主パッケージ２０及び副パッケージ４０に沿って配置されている。主パッケージ２０、窓３０、副パッケージ４０、及び／又は窓５０は、主パッケージ２０内に保持された口腔用組成物５が副パッケージ４０の外側から窓３０及び５０を介して目に見える限り、当業者に知られているように、多様な形状、寸法、構成、及び材料を包含してもよいことが理解される。
【００５１】
図４〜５を参照すると、本発明の二重パッケージ又はパッケージ組立体の別の例示的な実施形態が、一般的に１００として示されている。パッケージ組立体１００は、本明細書で上に記載した主パッケージ２０と、副パッケージ１４０とを包含してもよい。この例示的な実施形態は、上部壁１４１と、下部壁１４３と、４つの側壁１４５ａ〜１４５ｄとを有するハウジング１４６を包含している。窓５０が、側壁のうちの１つ、例えば、図４に示すような側壁１４５ｃの長方形形状の部分のみを構成することを除き、副パッケージ１４０は、本明細書で上に記載したものと同じであるか又は類似していてもよい。側壁１４５ｃの残部（すなわち、窓５０を除く表面領域）は、不透明であっても概ね透明でなくてもよい。側壁１４５ｃは、限定するものではないが、紙、厚紙、箔、金属、不透明なプラスチック、不透明なポリマー、複合材、又はそれらの任意の組み合わせを含めて、１つ以上の例示的な材料から製作することができる。加えて、他の壁（例えば、上部壁１４１、下部壁１４３、側壁１４５ａ、ｂ、ｄ）のうちの１つ以上がまた、不透明であっても概ね透明でなくてもよい。あるいは、本明細書で上に説明したような概ね透明な材料がまた、側壁１４５ｃの残部（すなわち、窓５０を除く表面領域）及び／又は他の壁のうちの１つ以上（例えば、上部壁１４１、下部壁１４３、側壁１４５ａ、ｂ、ｄ）に使用されてもよい。しかしながら、主パッケージ２０及び／又は口腔用組成物５が、窓３０及び５０を通すのは例外としてハウジング１４６を介して目に見えないように、側壁１４５ｃのこの残部及び／又はハウジング１４６の他の壁のうちの１つ以上の概ね透明な材料は、着色されるか、薄い色合いを付けられるか、艶消しされるか、陰影を付けられるか、パターンを形成されるか、又はラベルで覆われてもよい。
【００５２】
主パッケージ２０が副パッケージ１４０内に配置されると、窓３０及び５０は、各窓が図５に示すように部分的に、実質的に、又は完全に整列するように、対応する主パッケージ２０及び副パッケージ４０に沿って配される。窓３０及び５０が少なくとも部分的に整列することで、主パッケージ２０内に保持された口腔用組成物５は、副パッケージ１４０の外側から窓３０及び５０を介して目に見えるようになる。
【００５３】
図６は、本発明のパッケージ組立体２００の別の例示的な実施形態を示す。パッケージ組立体２００は、本明細書で上に記載した主パッケージ２０と、副パッケージ２４０とを包含してもよい。この例示的な実施形態は、上部壁２４１と、下部壁２４３と、４つの側壁２４５ａ〜２４５ｄとを有するハウジング２４６を包含している。副パッケージ２４０は、側壁（例えば側壁２４５ｃ）が図６に示すような第１の窓５０及び第２の窓５２を備えることを除き、本明細書で上に記載したものと同じであるか又は類似していてもよい。
【００５４】
窓５０及び５２は、副パッケージ２４０に沿ったいかなる場所に配されていてもよい。一例として、図６は、窓５０が側壁２４５ｃに沿って配置され、窓５２が上部壁２４１の近くで同じ側壁２４５ｃに沿って配置されているところを示す。この構成において、窓５０は、側壁２４５ｃの一部分のみを構成しており、口腔用組成物５が副パッケージ２４０の外側から目に見えるように、窓３０と少なくとも部分的に整列するように配置されている。加えて、窓５２は、キャップ２８もまた副パッケージ２４０の外側から目に見えるように配置されている。図５に示すように、窓５０及び５２を除く側壁２４５ｃの残部は、不透明であっても概ね透明でなくてもよい。側壁２４５ｃは、限定するものではないが、紙、厚紙、箔、金属、不透明なプラスチック、不透明なポリマー、複合材、又はそれらの任意の組み合わせを含めて、１つ以上の例示的な材料から製作されてもよい。加えて、本明細書で上に説明した概ね透明な材料もまた、側壁２４５ｃに使用されてもよく、その場合、主パッケージ２０及び／又は口腔用組成物５が窓３０及び５０を介して目に見えないように、そのような概ね透明な材料は、側壁２４５ｃが不透明となるか又は概ね透明とならないように着色されるか、薄い色合いを付けられるか、艶消しされるか、陰影を付けられるか、パターンを形成されるか、又はラベルで覆われてもよい。
【００５５】
図７を参照すると、本発明のパッケージ組立体の別の例示的な実施形態が、一般的に３００として示されている。パッケージ組立体３００は、本明細書で上に記載した主パッケージ２０と、副パッケージ３４０とを備えるように示される。副パッケージ３４０は、同様に本明細書で上に記載した副パッケージのハウジングと同種類及び／又は類似のハウジング３４６を包含してもよい。図示のように、ハウジング３４６は、上部壁３４１と、下部壁３４３と、４つの側壁３４５ａ〜３４５ｄとを有している。
【００５６】
ハウジング３４６は、側壁３４５ｃに沿って配された窓５０を有している。この実施形態における窓５０は、側壁３４５ｃ内に配された１つ以上のスリット５０ａ〜５０ｃを包含している。スリット５０ａ〜５０ｃは、装飾上の、販売上の、又は他の更なる魅力を消費者にもたらすために、ここに示す波のパターンなどのパターンを包含していてもよい。主パッケージ２０の窓３０は、副パッケージのスリット５０ａ〜５０ｃと整列する複数のスリットを含めて、多様な形状、寸法、又は構成を包含していてもよい。図から分かるように、スリット５０ａ〜５０ｃと窓３０は共に、主パッケージ２０が副パッケージ３４０内に配置されると、消費者が、主パッケージ２０内に保持された口腔用組成物５を副パッケージ３４０の外側から窓３０及びスリット５０ａ〜５０ｃを介して目で見ることができるように配置されている。
【００５７】
ここでも、図５及び６における例示的な実施形態に関して記載したように、図７に示す側壁３４５ｃもまた、不透明であるか又は概ね透明でない材料を包含して、口腔用組成物５がスリット５０ａ〜５０ｃを介してのみ目に見えるようにしてもよい。同じ種類の材料又は材料の組み合わせが、本明細書で上に説明したように使用されてもよい。窓５２などの多数の窓がまた、図６に示すような側壁３４５ｃに沿ってスリット５０ａ〜５０ｃと組み合わされて配されてもよいことが同様に理解される。図示しないが、窓５０及び／又は５２は、本明細書に記載した例示的な実施形態のいずれの上部壁及び／又は下部壁に沿って配されてもよいことが理解される。
【００５８】
図８は、本発明のパッケージ組立体４００の更に別の例示的な実施形態を示す。この例示的な実施形態において、パッケージ組立体４００は、副パッケージ４４０によって包囲されかつ／又は副パッケージ４４０内に封入された主パッケージ４２０を包含している。主パッケージは、本明細書で上に記載したように、ハウジング４２６と、ショルダー４２４と、窓３０とを包含している。窓３０は、主パッケージ４２０の大部分を構成している。例えば、ハウジング４２６及びショルダー４２４は概ね透明であり、窓３０を形成している。加えて、第２のパッケージ４４０は、ハウジング４４６と窓４５０とを包含している。このように、窓４５０は、副パッケージ４４０の全体を包含している。したがって、ハウジング４４６の全体は、概ね透明であり、窓４５０を形成している。主パッケージ４２０が副パッケージ４４０内に配置されると、口腔用組成物５は、副パッケージ４４０の外側から、窓４３０として働くハウジング４２６及びショルダー４２４と、窓４５０として働くハウジング４４６とを介して目に見える。また、主パッケージ４２０は、副パッケージ４４０の外側からハウジング４４６を通して目に見える。主パッケージ４２０及び副パッケージ４４０は、本明細書で上に説明した例示的な概ね透明な材料から製作されてもよい。
【００５９】
図９に、本発明のパッケージ組立体の更に別の例示的な実施形態が、一般的に６００として示されている。パッケージ組立体６００は、副パッケージ６４０によって包囲されるか又は副パッケージ６４０内に封入された主パッケージ６２０を有している。主パッケージ６２０は、ショルダー６２４とハウジング６２６とを包含している。窓６３０は、主パッケージ６２０の大部分を包含してもよい。この例示的な実施形態において、窓６３０は、概ね透明なショルダー６２４とハウジング６２６とを包含している。
【００６０】
副パッケージ６４０は、円筒形状のハウジング６４６と窓６５０とを有している。窓６５０は、副パッケージ６４０の全体を包含している。したがって、ハウジング６４６の全体は、概ね透明であり、窓６５０を形成している。主パッケージ６２０が副パッケージ６４０内に配置されると、口腔用組成物５は、副パッケージ６４０の外側から、ハウジング６２６及びショルダー６２４（すなわち窓６３０）と、ハウジング６４６（すなわち窓６５０）とを介して目に見える。加えて、主パッケージ６２０は、副パッケージの外側からハウジング６４６を介して目に見える。
【００６１】
本発明の例示的な実施形態において、パッケージ組立体は、口腔用組成物５及び／又は主パッケージ（例えばパッケージ２０）の全部若しくは一部を、消費者及び／又はユーザーが、副パッケージの外側から主パッケージ及び副パッケージの窓（例えば３０及び５０）のそれぞれを介して目に見えるようにしており、更には、主パッケージの貯蔵部内に保持された口腔用組成物の完全性を維持するために、依然として保護と密封をもたらしている。窓３０、５０、５２、４３０、４５０、６３０、及び／又は６５０もまた、単独で又は共に、透明であっても、不透明であっても、着色されても、薄い色合いを付けられても、艶消しされても、陰影を付けられても、パターンを形成されてもよいことが理解される。一態様において、主パッケージ及び／又は副パッケージの表面積の少なくとも５％、１０％、２０％、３０％、４０％、５０％、６０％、７０％、８０％、９０％、更には１００％が、概ね透明であってもよい。
【００６２】
本発明の窓３０、５０、５２、４３０、４５０、６３０、及び／又は６５０のうちの１つ以上がそれぞれ、１ｃｍ２以上、より具体的には１ｃｍ２を超える合計表面積を包含してもよい。更により具体的には、本発明の窓のうちの１つ以上がそれぞれ、２ｃｍ２を超える合計表面積、より具体的には４ｃｍ２を超える合計表面積を備えていてもよい。
【００６３】
限定するものではないが、本明細書に記載した例示的な実施形態を含めて、主パッケージ、副パッケージ、及びそれらの個々の構成要素の任意の部分又はすべての部分が、薄い色合いを付けられても、陰影を付けられても、着色されても、艶消しされても、パターンを形成されても、ストライプを付けられてもよい。そのような容器の外観は、例えば、パッケージ又はその構成要素のいずれかの製造の間に、樹脂に着色剤を含めることによって達成されてもよい。その外観はまた、完成した容器に装飾を加えることによって、又は、製造済みの容器に印刷するか、エンボス加工するか、若しくは打抜き加工することによって成し遂げられてもよい。加えて、様々な容器の外観を生じさせるために、記載した方法の任意の組み合わせを使用することができる。
【００６４】
「発明を実施するための形態」で引用したすべての文書は、関連部分において参照によって本願に組み込まれるが、いずれの文書の引用も、それが本発明に対する先行技術であることを認めるものとして解釈されるものではない。この文書における用語のいずれかの意味又は定義が、参照によって援用される文書における用語のいずれかの意味又は定義と対立する限りは、本文書においてその用語に与えられた意味又は定義を優先するものとする。
【００６５】
本発明の特定の実施形態について図示し説明したが、種々の他の変更及び修正が、本発明の趣旨及び範囲から逸脱することなくなされうることは、当業者には明らかとなろう。したがって、本発明の範囲内にあるそのようなすべての変更及び修正は、添付の特許請求の範囲で網羅することとする。
【図１】
2010522673.tif 000003
【図２】
2010522673.tif 000004
【図３】
2010522673.tif 000005
【図４】
2010522673.tif 000006
【図５】
2010522673.tif 000007
【図６】
2010522673.tif 000008
【図７】
2010522673.tif 000009
【図８】
2010522673.tif 000010
【図９】
2010522673.tif 000011
【国際調査報告】
2010522673.tif 000012
2010522673.tif 000013